(57)【要約】【課題】環境への影響が小さく、安全性が高く、使用中や保管中における組成変化が少ない、１，１，２，２−テトラフルオロ−３−ブタノンを含む共沸組成物、擬共沸組成物および混合組成物の提供。【解決手段】１，１，２，２−テトラフルオロ−３−ブタノン（ＨＦＫ−３５４ｐｃ）２３．３質量％と、ｔｒａｎｓ−１，２−ジクロロエチレン（ｔＤＣＥ）７６．７質量％とからなる共沸組成物、１５．３〜３２．０質量％のＨＦＫ−３５４ｐｃと６８．０〜８４．７質量％のｔＤＣＥとからなる擬共沸組成物、１０〜４０質量％のＨＦＫ−３５４ｐｃおよび６０〜９０質量％のｔＤＣＥを含有する混合組成物。【選択図】図１
2019157023.tif 000002
【特許請求の範囲】
【請求項１】
１，１，２，２−テトラフルオロ−３−ブタノン２３．３質量％と、ｔｒａｎｓ−１，２−ジクロロエチレン７６．７質量％とからなる共沸組成物。
【請求項２】
１，１，２，２−テトラフルオロ−３−ブタノン１５．３〜３２．０質量％と、ｔｒａｎｓ−１，２−ジクロロエチレン６８．０〜８４．７質量％とからなる擬共沸組成物。
【請求項３】
１，１，２，２−テトラフルオロ−３−ブタノン１０〜４０質量％および、ｔｒａｎｓ−１，２−ジクロロエチレン６０〜９０質量％を含有する混合組成物。
【発明の詳細な説明】
【技術分野】
【０００１】
本発明は、冷媒、発泡剤、溶剤、洗浄剤、伝熱媒体、作動流体、反応溶媒、塗料用溶剤、抽出剤、水切り剤、乾燥剤等に用いられる共沸組成物、擬共沸組成物および混合組成物に関する。
【背景技術】
【０００２】
従来、冷媒、発泡剤、溶剤、洗浄剤、伝熱媒体、作動流体、反応溶媒、塗料用溶剤，抽出剤、水切り剤、乾燥剤等の用途にハイドロクロロフルオロカーボン（ＨＣＦＣ）類、ハイドロフルオロカーボン（ＨＦＣ）類、パーフルオロカーボン（ＰＦＣ）類が広く使われている。ＨＣＦＣ類はオゾン破壊係数（ＯＤＰ）を有するため先進国においては２０２０年に生産が全廃されることが決まっている。また、ＨＦＣ類、ＰＦＣ類はＯＤＰが低いものの地球温暖化係数（ＧＷＰ）が高いため、オゾン層保護および地球温暖化防止の目的からこれらに代わる物が求められてきた。
【０００３】
そのため、ＯＤＰがゼロとなり、ＧＷＰをより低くすることができるハイドロフルオロエーテル（ＨＦＥ）類を使用することが検討され、一部のＨＦＥ類が広く使用されるようになっている。しかしながら、現在多く使用されているＨＦＥ類はＧＷＰが十分に低いとは言えない。例えば、量産されている１，１，２，２−テトラフルオロエチル−２，２，２−トリフルオロエチルエーテル（以下、「ＨＦＥ−３４７ｐｃ−ｆ」と記す。）ではＧＷＰが５８０程度で、将来要求されるＧＷＰ１００〜１５０程度との間には大きな差がある。
【０００４】
また、ＨＦＥ類は、多くの用途で単独で使用するが、他成分と混合することにより溶解性、洗浄性、熱伝導性等の物性などを改善して使用するケースも多い。例えば、ＨＦＥ−３４７ｐｃ−ｆにｔｒａｎｓ−１，２−ジクロロエチレンを混合する例（特許文献１参照）、ＨＦＥ−３４７ｐｃ−ｆにメタノールを混合する例（特許文献２参照）、ＨＦＥ−３４７ｐｃ−ｆに塩化メチレンを混合する例（特許文献３参照）、ＨＦＥ−３４７ｐｃ−ｆにシクロペンタンを混合する例（特許文献４参照）等が知られている。
【０００５】
しかしながら、上記特許文献に記載された例ではいずれも、使用するＨＦＥ−３４７ｐｃ−ｆのＧＷＰが高いため、混合物のＧＷＰも高くなる問題がある。したがって、ＧＷＰが高いＨＦＥ類に代わり、ＧＷＰが低い含ハロゲン化合物が求められている。
【先行技術文献】
【特許文献】
【０００６】
【特許文献１】特開平１０−３２４６５２号公報
【特許文献２】特開平１０−３２４８９７号公報
【特許文献３】特開平１１−９２４１１号公報
【特許文献４】特開２０００−７６０３号公報
【発明の概要】
【発明が解決しようとする課題】
【０００７】
そこで、ＧＷＰが高いＨＦＥ類に代えて、ＯＤＰとＧＷＰのいずれも低いハイドロフルオロケトン（ＨＦＫ）類を使用することが考えられる。ＨＦＫ類は分子構造中に二重結合を持つことからＧＷＰを低くする点で有利である。ただし、ＨＦＫ類はＧＷＰが低いほど強い燃焼性を持つことが多いので、より安全性を高くするためには、ＧＷＰが低いＨＦＫ類に、別の燃焼性が低い成分を混合することにより燃焼性を抑制し、これらの混合物をもってＧＷＰが高いＨＦＥ類に代えて使用することが考えられる。
【０００８】
しかしながら、一般的な混合物においては蒸発により発生した気相の組成が液相の組成と異なるため、使用中の蒸発で組成が変化し、安定して使用できない問題がある。例えば、発泡剤の用途では、発泡の前半と後半で発生する気相の組成が変化して、製品の品質が不均一になる可能性がある。また、溶剤、洗浄剤、反応溶媒、抽出剤、水切り剤等の用途では、使用中に発生する蒸気を回収、凝縮して再利用することがよく行われているが、その際に回収、凝縮した液の組成が元の液の組成と異なることにより、装置の運転や製品の品質が不安定になる可能性がある。
【０００９】
また、冷媒、伝熱媒体、作動流体等の用途では、混合物を用いた装置から混合物の一部が蒸発して散逸することにより混合物の組成が変化して、装置の性能が低下する可能性がある。いずれの用途においても、混合物の保管中にその一部が蒸発して散逸することにより、混合物の組成が変化する可能性がある。
【００１０】
これに対し、もし混合物が共沸組成物または擬共沸組成物であった場合は、蒸発により発生した気相の組成が液相の組成と同じかまたは同じと見なすことができるため、使用中や保管中における組成変化が少なく、安定して使用することができる。
【００１１】
本発明は、ＯＤＰとＧＷＰが低いことにより環境への影響が小さく、また燃焼性が低いことにより安全性が高く、冷媒、発泡剤、溶剤、洗浄剤、伝熱媒体、作動流体、反応溶媒、塗料用溶剤，抽出剤、水切り剤、乾燥剤等の用途において使用中や保管中における組成変化が少なく、安定して使用することができる共沸組成物、擬共沸組成物および混合組成物の提供を目的とする。
【課題を解決するための手段】
【００１２】
上記課題を解決するために、本発明の共沸組成物は、１，１，２，２−テトラフルオロ−３−ブタノン２３．３質量％と、ｔｒａｎｓ−１，２−ジクロロエチレン７６．７質量％とからなる。
【００１３】
また、本発明の擬共沸組成物は、１，１，２，２−テトラフルオロ−３−ブタノン１５．３〜３２．０質量％と、ｔｒａｎｓ−１，２−ジクロロエチレン６８．０〜８４．７質量％とからなる。
【００１４】
さらに、本発明の混合組成物は、１，１，２，２−テトラフルオロ−３−ブタノン１０〜４０質量％および、ｔｒａｎｓ−１，２−ジクロロエチレン６０〜９０質量％を含有する。
【発明の効果】
【００１５】
本発明の共沸組成物、擬共沸組成物および混合組成物は、環境への影響が小さく、安全性が高く、冷媒、発泡剤、溶剤、洗浄剤、伝熱媒体、作動流体、反応溶媒、塗料用溶剤，抽出剤、水切り剤、乾燥剤等の用途において使用中や保管中における組成変化が少なく、安定して使用することができる組成物である。
【図面の簡単な説明】
【００１６】
【図１】１，１，２，２−テトラフルオロ−３−ブタノンとｔｒａｎｓ−１，２−ジクロロエチレンからなる組成物の気液平衡測定結果を示すグラフである。
【発明を実施するための形態】
【００１７】
以下、本発明の実施の形態について説明する。
［共沸組成物および擬共沸組成物］
本発明は１，１，２，２−テトラフルオロ−３−ブタノン（以下、「ＨＦＫ−３５４ｐｃ」という。）とｔｒａｎｓ−１，２−ジクロロエチレン（以下、「ｔＤＣＥ」という。）からなる共沸組成物および擬共沸組成物を提供する。
【００１８】
本発明の共沸組成物は、本発明者らが見出した１気圧（圧力１．０１３２５×１０６Ｐａ）において、ＨＦＫ−３５４ｐｃの含有割合が２３．３質量％であり、ｔＤＣＥの含有割合が７６．７質量％である組成物である。また、本発明のＨＦＫ−３５４ｐｃとｔＤＣＥからなる共沸組成物は１気圧における沸点が４６℃である。
【００１９】
ＨＦＫ−３５４ｐｃは、ＣＦ２Ｈ−ＣＦ２−Ｃ（＝Ｏ）−ＣＨ３で示されるＨＦＫである。ＨＦＫ−３５４ｐｃは、ＯＤＰがゼロで、二重結合を持ち水素元素が多く含まれる分子構造からＧＷＰが１００以下と予想されるＨＦＫ類である。ＨＦＫ−３５４ｐｃは、沸点が約６８℃である。
【００２０】
ｔＤＣＥは、ｔｒａｎｓ−ＣＨＣｌ＝ＣＨＣｌで示される、炭素原子−炭素原子間に二重結合を有するオレフィンである。ｔＤＣＥは、ＯＤＰがゼロに近く、ＧＷＰは１００よりも大幅に低い。ｔＤＣＥは、沸点が約４９℃である。ｔＤＣＥは、表面張力や粘度が低く、室温でも容易に蒸発する。ｔＤＣＥは、分子内に塩素を有するため加工油等の有機物に対する溶解性が非常に高い。
【００２１】
ＨＦＫ−３５４ｐｃは強い燃焼性があるが、ｔＤＣＥは空気との混合比において燃焼を起こす範囲（燃焼範囲）の上限〜下限の幅がきわめて小さいため、両者を混合することにより、ＨＦＫ−３５４ｐｃ単独の場合に比べ燃焼性を大幅に低下させることができる。
【００２２】
なお、共沸組成物とは、平衡状態において液相の組成と気相の組成に差がない組成物である。共沸組成物は比揮発度が１の組成物であり、本発明の共沸組成物については、以下の式で示される比揮発度が１．００である。
【００２３】
（比揮発度を求める式）
比揮発度＝（気相部におけるＨＦＫ−３５４ｐｃの質量％／気相部におけるｔＤＣＥの質量％）／（液相部におけるＨＦＫ−３５４ｐｃの質量％／液相部におけるｔＤＣＥの質量％）
【００２４】
本発明の共沸組成物は、該組成物を繰り返し蒸発、凝縮させた場合に組成変化がない。共沸組成物は、使用中や保管中における組成変化がなく、安定して使用することができる。
【００２５】
本発明のＨＦＫ−３５４ｐｃとｔＤＣＥからなる擬共沸組成物は、１気圧において、ＨＦＫ−３５４ｐｃの含有割合が１５．３〜３２．０質量％であり、ｔＤＣＥの含有割合が６８．０〜８４．７質量％の組成物である。
【００２６】
擬共沸組成物とは、平衡状態において液相の組成と気相の組成が近く、実用においてその組成が同じと見なすことができる組成物である。本発明のＨＦＫ−３５４ｐｃとｔＤＣＥからなる擬共沸組成物は、蒸発、凝縮を繰り返した場合の組成の変動が小さい。なお、本明細書において、擬共沸組成物とは、上記式で求められる比揮発度が０．８３〜１．２０の範囲にある組成物をいう。また、本発明のＨＦＫ−３５４ｐｃとｔＤＣＥからなる擬共沸組成物は、１気圧における沸点が４６〜４７℃である。
【００２７】
本発明の擬共沸組成物は、上記本発明の共沸組成物とほぼ同等に取り扱える。本発明の擬共沸組成物は、比揮発度が０．８３〜１．２０の範囲にあり、共沸点（比揮発度が１）の近傍であるので、使用中や保管中における組成変化が少なく、安定して使用することができる。
【００２８】
本発明の共沸組成物および擬共沸組成物は、上記のとおり蒸発、凝縮を繰り返した場合の組成の変動が全くない、または殆どない。そのため、本発明の共沸組成物および擬共沸組成物は、冷媒、発泡剤、溶剤、洗浄剤、伝熱媒体、作動流体、反応溶媒、塗料用溶剤，抽出剤、水切り剤、乾燥剤等の用途に用いた場合も安定して使用できる、蒸発した組成物を回収しリサイクルするのが容易である、といった利点を有する。
【００２９】
本発明の共沸組成物および擬共沸組成物においては、１気圧における沸点は４６〜４７℃である。これは広く使用されているＧＷＰが高いＨＦＥ類の例であるＨＦＥ−３４７ｐｃ−ｆの沸点（約５６℃）と大きく違わない。そのため、本発明の共沸組成物および擬共沸組成物は、冷媒、発泡剤、溶剤、洗浄剤、伝熱媒体、作動流体、反応溶媒、塗料用溶剤，抽出剤、水切り剤、乾燥剤等の用途に好適である。
【００３０】
本発明の共沸組成物および擬共沸組成物は、ＨＦＫ−３５４ｐｃとｔＤＣＥからなる組成物であり、実質的にこの２成分からなる。なお、本発明の共沸組成物または擬共沸組成物に、後述する任意の安定化剤等の添加剤を加えて用いてもよい。添加剤を加える場合の添加剤の添加量は後述のとおりである。
【００３１】
［混合組成物］
本発明の混合組成物は、１０〜４０質量％のＨＦＫ−３５４ｐｃおよび、６０〜９０質量％のｔＤＣＥを含有する。また、混合組成物は、性状や物性を調節する等、目的に応じて、ＨＦＫ−３５４ｐｃおよびｔＤＣＥ以外の他の成分と組み合わせて、混合物として用いてもよい。他の成分としては、炭化水素類、アルコール類、ケトン類、ハロゲン化炭化水素類、エーテル類、エステル類、グリコールエーテル類からなる群より選ばれる少なくとも１種の化合物が挙げられる。
【００３２】
混合組成物と他の成分を組み合わせて混合物とする場合、混合物１００質量％中の混合組成物の含有量は、８０質量％以上が好ましく、９０質量％以上がより好ましい。他の成分の含有量は、混合物１００質量％中、２０質量％以下が好ましく、１０質量％以下がより好ましい。また、他の成分を添加して混合物とする場合、混合物は共沸組成乃至擬共沸組成であれば、さらに好ましい。
【００３３】
炭化水素類としては、炭素数５〜１５の鎖状または環状の飽和または不飽和炭化水素類が好ましく、ｎ−ペンタン、２−メチルブタン、ｎ−ヘキサン、２−メチルペンタン、２，２−ジメチルブタン、２，３−ジメチルブタン、ｎ−ヘプタン、２−メチルヘキサン、３−メチルヘキサン、２，４−ジメチルペンタン、ｎ−オクタン、２−メチルヘプタン、３−メチルヘプタン、４−メチルヘプタン、２，２−ジメチルヘキサン、２，５−ジメチルヘキサン、３，３−ジメチルヘキサン、２−メチル−３−エチルペンタン、３−メチル−３−エチルペンタン、２，３，３−トリメチルペンタン、２，３，４−トリメチルペンタン、２，２，３−トリメチルペンタン、２−メチルヘプタン、２，２，４−トリメチルペンタン、ｎ−ノナン、２，２，５−トリメチルヘキサン、ｎ−デカン、ｎ−ドデカン、シクロペンタン、メチルシクロペンタン、シクロヘキサン、メチルシクロヘキサン、エチルシクロヘキサン、ビシクロヘキサン等が挙げられる。
【００３４】
アルコール類としては、炭素数１〜１６の鎖状または環状のアルコール類が好ましく、メタノール、エタノール、ｎ−プロピルアルコール、イソプロピルアルコール、ｎ−ブチルアルコール、ｓｅｃ−ブチルアルコール、イソブチルアルコール、ｔｅｒｔ−ブチルアルコール、１−ペンチルアルコール、２−ペンチルアルコール、１−エチル−１−プロピルアルコール、２−メチル−１−ブチルアルコール、３−メチル−１−ブチルアルコール、３−メチル−２−ブチルアルコール、ネオペンチルアルコール、１−ヘキシルアルコール、２−メチル−１−ペンチルアルコール、４−メチル−２−ペンチルアルコール、２−エチル−１−ブチルアルコール、１−ヘプチルアルコール、２−ヘプチルアルコール、３−ヘプチルアルコール、１−オクチルアルコール、２−オクチルアルコール、２−エチル−１−ヘキシルアルコール、１−ノニルアルコール、３，５，５−トリメチル−１−ヘキシルアルコール、１−デキルアルコール、１−ウンデキルアルコール、１−ドデキルアルコール、シクロヘキシルアルコール、１−メチルシクロヘキシルアルコール、２−メチルシクロヘキシルアルコール、３−メチルシクロヘキシルアルコール、４−メチルシクロヘキシルアルコール、α−テルピネオール、２，６−ジメチル−４−ヘプチルアルコール、テトラデシルアルコール等が挙げられる。
【００３５】
ケトン類としては、炭素数３〜９の鎖状または環状のケトン類が好ましく、具体的には、アセトン、メチルエチルケトン、２−ペンタノン、３−ペンタノン、２−ヘキサノン、メチルイソブチルケトン、２−ヘプタノン、３−ヘプタノン、４−ヘプタノン、ジイソブチルケトン、シクロヘキサノン、メチルシクロヘキサノン、アセトフェノン等が挙げられる。
【００３６】
ハロゲン化炭化水素類としては、炭素数１〜６の飽和または不飽和のハロゲン化炭化水素類が好ましく、塩化メチレン、１，１−ジクロロエタン、１，２−ジクロロエタン、１，１，２−トリクロロエタン、１，１，１，２−テトラクロロエタン、１，１，２，２−テトラクロロエタン、ペンタクロロエタン、１，１−ジクロロエチレン、ｃｉｓ−１，２−ジクロロエチレン、トリクロロエチレン、テトラクロロエチレン、１，２−ジクロロプロパン、ジクロロペンタフルオロプロパン、ジクロロフルオロエタン、デカフルオロペンタン、ペンタフルオロブタン、ヘプタフルオロシクロペンタン等が挙げられる。
【００３７】
エーテル類としては、炭素数２〜８の鎖状または環状のエーテル類が好ましく、ジエチルエーテル、ジプロピルエーテル、ジイソプロピルエーテル、ジブチルエーテル、エチルビニルエーテル、ブチルビニルエーテル、アニソール、フェネトール、メチルアニソール、ジオキサン、フラン、メチルフラン、テトラヒドロフラン、（パーフルオロブトキシ）メタン、（パーフルオロブトキシ）エタン等が挙げられる。
【００３８】
エステル類としては、炭素数２〜１９の鎖状または環状のエステル類が好ましく、具体的には、酢酸メチル、酢酸エチル、酢酸プロピル、酢酸イソプロピル、酢酸ブチル、酢酸イソブチル、酢酸ｓｅｃ−ブチル、酢酸ペンチル、酢酸メトキシブチル、酢酸ｓｅｃ−ヘキシル、酢酸２−エチルブチル、酢酸２−エチルヘキシル、酢酸シクロヘキシル、酢酸ベンジル、プロピオン酸メチル、プロピオン酸エチル、プロピオン酸ブチル、２−ヒドロキシ−２−メチルプロピオン酸エチル、フタル酸ジエチル、フタル酸ジブチル等が挙げられる。
【００３９】
グリコールエーテル類としては、炭素数２〜４である２価アルコールの２〜４量体の一方または両方の水酸基の水素原子が炭素数１〜６のアルキル基で置換されたグリコールエーテル類が好ましく、具体的には、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールジメチルエーテル、エチレングリコールジエチルエーテル、エチレングリコールジブチルエーテル、エチレングリコールモノメトキシメチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールエチルメチルエーテル、ジエチレングリコールジエチルエーテル、ジエチレングリコールジブチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル等が挙げられる。
【００４０】
また、本発明の共沸組成物、擬共沸組成物、または、混合組成物に安定化剤を加えて用いてもよい。その場合の安定化剤の添加量は、共沸組成物、擬共沸組成物、または、混合組成物と安定化剤の合計量に対して、０．００１〜５質量％が好ましい。安定化剤の添加量が上記範囲内であれば、本発明の共沸組成物、擬共沸組成物および混合組成物の安定性をより高めることができる。
【００４１】
安定化剤としては、例えば、ニトロメタン、ニトロエタン、ニトロプロパン、ニトロベンゼン等のニトロ化合物類：ジエチルアミン、トリエチルアミン、ｉ−プロピルアミン、ｎ−ブチルアミン等のアミン類：フェノール、ｏ−クレゾール、ｍ−クレゾール、ｐ−クレゾール、チモール、ｐ−ｔ−ブチルフェノール、ｔ−ブチルカテコール、カテコール、イソオイゲノール、ｏ−メトキシフェノール、ビスフェノールＡ、サリチル酸イソアミル、サリチル酸ベンジル、サリチル酸メチル、２，６−ジ−ｔ−ブチル−ｐ−クレゾール等のフェノール類：２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、１，２，３−ベンゾトリアゾール、１−［（Ｎ，Ｎ−ビス−２−エチルヘキシル）アミノメチル］ベンゾトリアゾール等のトリアゾール類等が挙げられる。これら安定化剤は１種単独で用いてもよく、２種以上を併用してもよい。
【実施例】
【００４２】
以下、本発明の実施例について具体的に説明するが、この説明が本発明を限定するものではない。
【００４３】
＜気液平衡測定＞
ＨＦＫ−３５４ｐｃおよびｔＤＣＥを種々の質量比で混合した各組成物を、オスマー型気液平衡測定装置の試料容器に入れ、大気圧で還流をかけた。気相凝縮液の滴下速度が適正になるように加熱を調整し、安定した沸騰を各部の組成が収束して一定になるのに十分な時間保ち、沸点が安定していることを確認した後、液相側と気相側のサンプルを採取し、ガスクロマトグラフでＨＦＫ−３５４ｐｃとｔＤＣＥの組成を分析した。液相および気相のＨＦＫ−３５４ｐｃの組成（質量％）、比揮発度および沸点を表１に示す。
【００４４】
なお、表１において◇の記号を付した値は、実測データを６次多項式で誤差が最少となるように近似することにより実測データ間を補完した値である。
【００４５】
表１に示す液相および気相のＨＦＫ−３５４ｐｃの組成（質量％）の関係を図１に実線で示す。また、破線は気相と液相における組成が一致する比揮発度１．００となる直線を示す。図１において実線で示す曲線と破線で示す直線の交点が共沸組成である。
【００４６】
【表１】
2019157023.tif 000003
【００４７】
表１および図１より、ＨＦＫ−３５４ｐｃが２３．３質量％、ｔＤＣＥが７６．７質量％である組成物は、気相および液相の組成が一致した共沸組成物であった。また、沸点（共沸点）は４６℃であった。
【００４８】
さらに、ＨＦＫ−３５４ｐｃが１５．３〜３２．０質量％である組成物は、比揮発度が０．８３〜１．２０の擬共沸組成物であった。また、沸点は４６〜４７℃であった。
【産業上の利用可能性】
【００４９】
本発明の組成物は、冷媒、発泡剤、溶剤、洗浄剤、伝熱媒体、作動流体、反応溶媒、塗料用溶剤，抽出剤、水切り剤、乾燥剤等の用途に適用できる。
【図１】
2019157023.tif 000004